(57)【要約】  本発明は、電気コネクタ要素（１、１’、１’’）のハウジング（２、２’、２’’）に関する。このハウジング（２、２’、２’’）は、電気コンタクト要素を受容するように構成される少なくとも１つのコンタクトモジュール（３、３’、３’’）を通過させて導入方向（Ｅ）にモジュールシャフト（２３）内へと導入できる導入開口部（２２）を有する、少なくとも１つのモジュールシャフト（２３）を有し、かつ、モジュールシャフト（２３）から導入方向（Ｅ）の反対方向へと引き出されないようにコンタクトモジュール（３、３’、３’’）を固定するための、少なくとも１つのキャッチ要素（２８、２８’、２８’’）を有する。本発明は、さらに、電気コンタクト要素を受容するための少なくとも１つのコンタクト要素受容部材（３１）を有する、電気コネクタ要素（１、１’、１’’）のコンタクトモジュール（３、３’、３’’）に関する。このコンタクトモジュール（３、３’、３’’）は、後端部（３５）が導入方向（Ｅ）の前方にある状態でコネクタ要素（１、１’、１’’）のハウジング（２，２’，２’’）のモジュールシャフト（２３）内へと導入できるように構築され、かつ、モジュールシャフト（２３）から導入方向（Ｅ）の反対方向へと引き出されないようにコンタクトモジュール（３、３’、３’’）を固定するための少なくとも１つのカウンタ・キャッチ要素（３８、３８’、３８’’）を有する。最後に、本発明は、本発明によって構築されるハウジング（２，２’，２’’）を有し、かつ、本発明によって構築される少なくとも１つのコンタクトモジュール（３、３’、３’’）を有する、電気コネクタ要素（１、１’、１’’）に関する。ハウジング（２，２’，２’’）においてコンタクトモジュール（３、３’、３’’）の係合部をより良好に形成しかつ保護できるように、導入開口部（２２）から距離を置いたモジュールシャフト（２３）の後端部（２７）に配置されることになる少なくとも１つのキャッチ要素（２８、２８’、２８’’）が、または、後端部（３５）に配置されることになる少なくとも１つのカウンタ・キャッチ要素（３８、３８’、３８’’）が、本発明により提供される。
2015535136.tif 000002
【特許請求の範囲】
【請求項１】
電気コネクタ要素（１、１’、１’’）のハウジング（２、２’、２’’）であって、
電気コンタクト要素を受容するように構成される少なくとも１つのコンタクトモジュール（３、３’、３’’）を通過させて導入方向（Ｅ）にモジュールシャフト（２３）内へと導入できる導入開口部（２２）を有する少なくとも１つの前記モジュールシャフト（２３）を有し、かつ、
前記モジュールシャフト（２３）から前記導入方向（Ｅ）の反対方向へと引き出されないように前記コンタクトモジュール（３、３’、３’’）を固定するための少なくとも１つのキャッチ要素（２８、２８’、２８’’）を有し、
前記少なくとも１つのキャッチ要素（２８、２８’、２８’’）が、前記導入開口部（２２）から逸れた前記モジュールシャフト（２３）の後端部（２７）に配置されることを特徴とするハウジング（２、２’、２’’）。
【請求項２】
前記少なくとも１つのキャッチ要素（２８，２８’，２８’’）が前記少なくとも１つのモジュールシャフト（２３）内に突出することを特徴とする、請求項１に記載のハウジング（２，２’，２’’）。
【請求項３】
前記少なくとも１つのキャッチ要素（２８、２８’、２８’’）が前記ハウジング（２、２’、２’’）の内部空間（２１）内に配置されることを特徴とする、請求項１または請求項２に記載のハウジング（２、２’、２’’）。
【請求項４】
中を通って前記ハウジング（２、２’、２’’）の外側から前記少なくとも１つのキャッチ要素（２８、２８’、２８’’）にアクセス可能なアクセス開口部（２９、２９’、２９’’）によって特徴付けられる、請求項１から３の少なくとも一項に記載のハウジング（２、２’、２’’）。
【請求項５】
前記少なくとも１つのキャッチ要素（２８，２８’，２８’’）が、前記導入方向（Ｅ）に対して横断的に見たときに、前記モジュールシャフト（２３）の表面上のおよび／または中の実質的に中央に配置されることを特徴とする、請求項１から４の少なくとも一項に記載のハウジング（２，２’，２’’）。
【請求項６】
前記少なくとも１つのキャッチ要素（２８，２８’，２８’’）が、移行部分（２８ｃ、２８ｃ、３８ｃ’）によって前記ハウジング（２，２’，２’’）に接続され、かつ前記移行部分（２８ｃ、２８ｃ’’、３８ｃ）から実質的に前記導入方向（Ｅ）の反対方向に延在することを特徴とする、請求項１から５の少なくとも一項に記載のハウジング（２，２’，２’’）。
【請求項７】
電気コンタクト要素を受容するための少なくとも１つのコンタクト要素受容部材（３１）を有する、電気コネクタ要素（１、１’、１’’）のコンタクトモジュール（３、３’、３’’）であって、
前記コンタクトモジュール（３、３’、３’’）は、
後端部（３５）が導入方向（Ｅ）の前方にある状態で前記コネクタ要素（１、１’、１’’）のハウジング（２，２’，２’’）のモジュールシャフト（２３）内へと導入できるように構築され、かつ、
前記モジュールシャフト（２３）から前記導入方向（Ｅ）の反対方向へと引き出されないようにコンタクトモジュール（３、３’、３’’）を固定するための少なくとも１つのカウンタ・キャッチ要素（３８、３８’、３８’’）を有し、
前記少なくとも１つのカウンタ・キャッチ要素（３８、３８’、３８’’）が、前記後端部（３５）に配置されることを特徴とする、コンタクトモジュール（３、３’、３’’）。
【請求項８】
前記少なくとも１つのカウンタ・キャッチ要素（３８、３８’、３８’’）が前記コンタクトモジュール（３、３’、３’’）上に形成されるポケット（３９）内に少なくとも部分的に配置されることを特徴とする、請求項７に記載のコンタクトモジュール（３、３’、３’’）。
【請求項９】
前記少なくとも１つのカウンタ・キャッチ要素（３８、３８’、３８’’）が前記導入方向（Ｅ）における突出部として前記コンタクトモジュール（３、３’、３’’）の外郭によって覆われることを特徴とする、請求項７または８に記載のコンタクトモジュール（３、３’、３’’）。
【請求項１０】
請求項１から６のいずれか一項に記載のハウジング（２，２’，２’’）によって、および／または、請求項７から９のいずれか一項に記載の少なくとも１つのコンタクトモジュール（３、３’、３’’）によって特徴付けられる、電気コネクタ要素（１、１’、１’’）。
【発明の詳細な説明】
【技術分野】
【０００１】
本発明は、電気コネクタ要素のハウジングに関する。このハウジングは、電気コンタクト要素を受容するように構成される少なくとも１つのコンタクトモジュールを通過させて導入方向にモジュールシャフト内へと導入できる導入開口部を有する、少なくとも１つのモジュールシャフトを有し、かつ、モジュールシャフトから導入方向の反対方向へと引き出されないようにコンタクトモジュールを固定するための、少なくとも１つのキャッチ要素（ｃａｔｃｈ  ｅｌｅｍｅｎｔ）を有する。
【０００２】
さらに、本発明は、電気コンタクト要素を受容するための少なくとも１つのコンタクト要素受容部材を有する、電気コネクタ要素のコンタクトモジュールに関する。このコンタクトモジュールは、後端部が導入方向の前方にある状態でコネクタ要素のハウジングのモジュールシャフト内へと導入できるように構築され、かつ、モジュールシャフトから導入方向の反対方向へと引き出されないようにコンタクトモジュールを固定するための少なくとも１つのカウンタ・キャッチ要素（ｃｏｕｎｔｅｒ−ｃａｔｃｈ  ｅｌｅｍｅｎｔ）を有する。
【０００３】
最後に、本発明は電気コネクタ要素に関する。
【背景技術】
【０００４】
前述の型のハウジングおよびコンタクトモジュールを有するコネクタ要素は、先行技術から知られている。これらのコネクタ要素は、例えば、モジュール様式で構築されるプラグ型コネクタにおいて使用される。この場合、これらのプラグ型コネクタは、それらのプラグ型コンタクト受容部材を用いてピンコンタクトまたはソケットコンタクトを受容する。これらのプラグ型コンタクトは、ほとんどの場合、機能グループ単位で組み合わされる。プラグ型コンタクトのグループはそれぞれ電気信号または電流を送信し、これらは電力を制御するかまたはプラグ型コネクタに接続される装備品の特定の機能ユニットに電力を供給するために使用される。したがって、このプラグ型コネクタは、例えば、多数の電気的機能が様々な方法で実装され得る自動車において使用することができる。
【０００５】
そのようなプラグ型コネクタは、例えば、本出願人による、特許明細書ＤＥ１０２００７０３７１７６Ｂ３および特許出願ＤＥ１０２００７０３７１７７Ａ１に記載されている。これらのプラグ型コネクタにおいては、モジュールシャフト内でコンタクトモジュールを係合するためのキャッチ要素は、ハウジングの側方に装着される。したがって、カウンタ・キャッチ要素はコンタクトモジュールの側壁上に配置される。
【０００６】
知られている上述の型のプラグ型コネクタは、そのキャッチ要素が意図せず作動される可能性があり、結果としてコンタクトモジュールが係合から不用意に解除される可能性があるという問題を伴っている。キャッチ要素は、プラグ型コネクタを取り扱うときに損傷を受ける可能性もあり、このことはコンタクトモジュールの係合を損う。さらに、ほとんどの場合に射出成形法で製造されるプラグ型コネクタにおいては、先行技術から知られているキャッチ要素は、製造するには複雑である。
【発明の概要】
【発明が解決しようとする課題】
【０００７】
上述の問題を考慮し、本発明の目的は、モジュール式のプラグ型コネクタのコネクタ要素を提供することであり、このコネクタ要素においては、コンタクトモジュールは考え得る最も信頼性の高い方法でハウジング上に係合することができ、また、考え得る最も簡単な方法で製造することができる。
【課題を解決するための手段】
【０００８】
この目的は、本発明によって、導入部で述べたハウジングにおいて、少なくとも１つのキャッチ要素がモジュールシャフトの導入開口部から逸れた後端部に配置されることにより、達成される。
【０００９】
この目的は、本発明によって、導入部で述べたコンタクトモジュールにおいて、少なくとも１つのカウンタ・キャッチ要素がその後端部に配置されることにより、達成される。
【００１０】
この目的は、導入部で述べた電気コネクタ要素において、本発明によるハウジングによって、および／または本発明による少なくとも１つのコンタクトモジュールによって、達成される。
【００１１】
これらの解決法は、損傷および意図しない作動から、キャッチ要素を先行技術よりも良好に保護できるという利点を有する。例えば、少なくとも１つのキャッチ要素を、ハウジングの壁部によって少なくとも部分的に包囲して、結果としてこの壁部によって保護されるように配置することができる。加えて、製造中に、型からの取り外しに関与する側方移動方向または側方変位を少なくすることができ、また、このことにより器具のコストを、および最終的には製造コストを、先行技術に対して低減することができる。
【００１２】
本発明による解決法は、それ自体有利なものである以下の追加の実施形態と自由に組み合わせることができ、また、さらに改善することができる。
【００１３】
少なくとも１つのキャッチ要素が少なくとも１つのモジュールシャフト内に突出することにより、このキャッチ要素を損傷に対してこのようにさらに良好に保護することができる。キャッチ要素は、導入方向に対して実質的に横断的にまたはコネクタ要素の横断方向に、向きを変えることができるように構築されてもよい。
【００１４】
少なくとも１つのキャッチ要素をハウジングの内部空間の中に配置することによって、キャッチ要素の保護をさらに改善することができる。例えば、キャッチ要素をモジュールシャフト内に配置してもよい。キャッチ要素は、ハウジングおよび／またはモジュールシャフトの内部空間内に、少なくとも部分的に突出してもよい。
【００１５】
キャッチ要素の作動またはロック解除動作は、中を通ってハウジングの外側から少なくとも１つのキャッチ要素にアクセス可能であるアクセス開口部によって、簡素化することができる。たとえば、その場合、ロック解除器具によってハウジングの外側からキャッチ要素をロック解除できる。
【００１６】
少なくとも１つのキャッチ要素を、導入方向に対して横断的に見たときにモジュールシャフトの表面上のおよび／または中の実質的に中央に配置することによって、キャッチ要素の形成をさらに簡素化することができ、また、その機能および保護を改善することができる。たとえば、キャッチ要素は、コネクタ要素の挿入開口部の反対側に配置してもよい。少なくとも１つのキャッチ要素は、たとえば弾性部分およびキャッチ部分を有するキャッチフラップとして構築してもよく、このキャッチ部分は導入方向に対して平行におよび／または実質的に鋭角を成して延在することができる。
【００１７】
少なくとも１つのキャッチ要素を根部または移行部分によってハウジングに接続することができ、このキャッチ要素は移行部分から導入方向の実質的に反対方向に延びることができる。したがって、キャッチ要素を導入方向の反対方向に方向付け、コンタクトモジュールがモジュールシャフト内に導入されるときにコンタクトモジュールと確実に係合させることができる。この他、キャッチ要素を導入方向の反対方向に延在させることもできる。
【００１８】
本発明によって構築されるコンタクトモジュールでは、例えば、少なくとも１つのカウンタ・キャッチ要素がコンタクトモジュール上に形成されるポケット内に少なくとも部分的に配置されることにより、上述の解決法を改善することができる。このポケットを、例えば、一種の窪みとしてコンタクトモジュール上に形成でき、この中に少なくとも１つのキャッチ要素を配設でき、結果としてコンタクトモジュールの壁部分によってこれを包囲することができる。例えば、少なくとも１つのカウンタ・キャッチ要素を、コンタクト受容部材の２つの列の間に配置することができ、これらのコンタクト受容部材は導入方向と実質的に平行に延在することができる。導入方向と実質的に平行に延在するコンタクトモジュールの側壁が少なくとも部分的にカウンタ・キャッチ要素の側方に位置すること、および／またはカウンタ・キャッチ要素をこれらの側壁上に形成することも可能である。
【００１９】
少なくとも１つのカウンタ・キャッチ要素を導入方向における突出部としてコンタクトモジュールの外郭によって覆うことにより、カウンタ・キャッチ要素を、特にモジュールシャフト内へのコンタクトモジュールの導入中に、損傷に対してさらに保護することができる。換言すれば、少なくとも１つのカウンタ・キャッチ要素を、少なくとも導入方向に見たときに、コンタクトモジュールの外郭の陰の中に配設することができる。
【００２０】
本発明を、考えられる実施形態を参照してかつ添付の図面を参照して、例示により以下により詳細に記載する。これらの実施形態において提示する特徴の組合せは、単に例示を目的として意図されている。それぞれの特徴の利点が特定の用途にとって重要でない場合、個々の特徴を上記のその利点に従って省略することもできる。
【００２１】
実施形態の説明において、簡潔さの理由から、同じ特徴および要素には同じ参照番号を付している。同じまたは少なくとも同様の機能性を有する特徴および要素は、全般に同じ参照番号または参照符号を有し、これには別の実施形態であることを示すために１つまたは複数のアポストロフィを付す。
【図面の簡単な説明】
【００２２】
【図１】組立前の状態の、本発明によるコネクタ要素の第１の実施形態の概略分解図である。
【図２】本発明によるコンタクトモジュールが組立前の位置にある、図１に示すコネクタ要素の概略断面図である。
【図３】図２からのＸＩの詳細を示す図である。
【図４】端部キャッチ位置にある、図２および図３に例示するコンタクトモジュールの概略斜視図である。
【図５】図４からのＸＩＩの詳細を示す図である。
【図６】本発明によるコネクタ要素の第２の実施形態の概略斜視図である。
【図７】図６に例示するコネクタ要素の、本発明によるコンタクトモジュールの概略斜視図である。
【図８】コンタクトモジュールが組立前の位置にある、図７に例示するコネクタ要素の概略断面図である。
【図９】コンタクトモジュールが端部キャッチ位置にある、図６に例示するコネクタ要素の概略断面図である。
【図１０】本発明によるコネクタ要素の別の実施形態の概略断面図である。
【図１１】図１０からのＸＩＩＩの詳細を示す図である。
【図１２】図１１からのＸＩＩＩの詳細の別の概略斜視図である。
【図１３】コンタクトモジュールが端部キャッチ位置にある、図１０に例示するコネクタ要素の概略斜視図である。
【発明を実施するための形態】
【００２３】
図１は、本発明によるプラグ型コネクタに関する、本発明によるコネクタ要素１の第１の実施形態の概略分解図である。コネクタ要素１は、ハウジング部材２とコンタクトモジュール３とを備える。ハウジング部材２は壁部２０を有し、これはハウジング２の内部空間２１を囲んでいる。壁部２０には導入開口部２２が形成され、これを経由して、少なくとも部分的に内部空間２１内に配置されるモジュールシャフト２３の中に、コンタクトモジュール３を導入方向に導入することができる。モジュールシャフト２３は壁部２０の２つの側方内壁２０ａ、２０ｂによって区切られる。内壁２０ａ、２０ｂ上には案内要素２４ａ、２４ｂが形成される。これらは、導入方向Ｅと実質的に平行に延在し、かつコンタクトモジュール３を導入方向Ｅに案内する輪郭部材の形態であり、かつコンタクトモジュール３を導入方向Ｅに対して横断方向に（ｔｒａｎｓｖｅｒｓｅｌｙ）支持する。
【００２４】
ハウジング２上には挿入開口部２５がさらに形成され、これを通して、導入方向Ｅに対して横断方向に延びる挿入方向Ｓにハウジング２が開口する。この結果、対抗（ｃｏｕｎｔｅｒ）コンタクト要素（図示せず）をコンタクトモジュール３の中に受容されたコンタクト要素（図示せず）と導電的に接触させることができる。さらに、コネクタ要素１は、ハウジング２に装着されるロック手段２６を有する。このロック手段２６により、コネクタ要素は相手側コネクタ要素（図示せず）と挿入方向Ｓにおいて１つに接合することが可能であり、かつ端部挿入位置においてロックすることが可能である。
【００２５】
コンタクトモジュール３は、コンタクト要素受容部材３１の２つの列３０ａ、３０ｂを有する。列３０ａ、３０ｂは、導入方向Ｅと実質的に平行に延在し、結果としてコネクタ要素１の長手方向Ｘと平行である。列３０ａ、３０ｂは、長手方向Ｘに対して実質的に直交して延びるコネクタ要素１の横断方向Ｙにおいて、互いに隣り合って配置される。コンタクト受容部材３１は、コネクタ要素１の垂直軸Ｚと実質的に平行に延在する。長手方向Ｘは、導入方向Ｅの実質的に反対方向に延びる。垂直方向Ｚは、挿入方向Ｓの実質的に反対方向に延びる。
【００２６】
コンタクトモジュール３は、保持部分３ａおよびコネクタ部分３ｂを有する。保持部分３ａは、挿入方向Ｓにおいてコネクタ部分３ｂの上流に配置される。保持部分３ａにおいて、コンタクト要素および接続部位は、コンタクト要素に固定される電気導体または光導体（図示せず）を用いて構成される。コネクタ部分３ｂは、相手側コネクタ要素（図示せず）の対抗（ｃｏｕｎｔｅｒ）接続部分に接合するように構成され、また、開口部の形態であるコンタクト固定手段を備える。このコンタクト固定手段は、コンタクト受容部材３１の中に横断方向Ｙと実質的に平行に延在し、またその中にコンタクト要素の係合手段を固定することができる。
【００２７】
さらに、コンタクトモジュール上の側方には、導入方向Ｅと実質的に平行に延在しかつ溝部の形態である、ガイド３４ａが形成される。このガイド３４ａは、横断方向Ｙにまたはその反対方向に、コンタクト受容部材３１内の場所まで延在し、結果として、コンタクト受容部材３１の中に延びるハウジング２の案内要素２４ａ、２４ｂを受容することにより、第２のコンタクト固定手段として機能することができる。このように、コンタクトモジュール３を、コンタクトモジュール３の後端部３５が前方にある状態で内壁２０ａ、２０ｂおよび案内要素２４ａ、２４ｂによって案内される状態で、導入開口部２２を通して導入方向Ｅにモジュールシャフト２３内へと、導入することができる。導入中、ガイド３４ａ、３４ｂを通って摺動する案内要素２４ａ、２４ｂによって、そのそれぞれの受容部材３１においてコンタクト要素の配置が正しいことを確実にしかつ検証することができる。
【００２８】
図２は、長手方向Ｘおよび横断方向Ｙと実質的に平行に定められかつ垂直方向Ｚにおいて保持部分３ａの中央領域の高さで延びる切断面における、コネクタ要素１の断面斜視図である。コンタクトモジュール３は、モジュールシャフト２３内に組立前の位置Ａまで導入される。組立前の位置Ａにおいて、モジュールシャフト２３の後端部２７に配置されるハウジング２のキャッチ要素２８は、導入方向Ｅにおいてキャッチ要素２８の上流に配置されるコンタクトモジュール３のカウンタ・キャッチ要素３８に当接する。
【００２９】
図３は図２からの詳細を示す。ここでは、キャッチ要素２７が、導入方向に対して実質的に鋭角を成して延在するように構築される弾性のキャッチフラップとして、導入方向Ｅの反対方向に延在するのを見ることができる。キャッチ手段２８は、キャッチ要素の弾性部分２８ｂから遠ざかるように実質的に横断方向Ｙに延在するキャッチ突出部の形態である、キャッチ部分２８ａを備える。弾性部分２８ｂは、キャッチ要素２８の根部２８ｃによってモジュールシャフト２３の後端部２７に接続される。カウンタ・キャッチ要素３８は、コンタクトモジュールの内部側壁３６ａから遠ざかるように横断方向Ｙの反対方向に延在するキャッチ突出部として構築され、勾配を有する傾斜部材３８ａおよび保持面３８ｂを有する。組立前の位置Ａにおいて、キャッチ部分２８ａは、勾配を有する傾斜部材３８ａに当接し、結果として、コンタクトモジュールがモジュールシャフト２３内に導入されるときに著しい抵抗力を生む。
【００３０】
さらに、コンタクトモジュール３の内部側壁３６ａと別の内部側壁３６ｂと端面３６ｃとが、コンタクトモジュール３上に形成されるポケット３９を囲う。このポケット３９の中に、カウンタ・キャッチ要素３８と、結果としてキャッチ要素２８およびカウンタ・キャッチ要素３８によって形成される係合部とが、モジュールシャフト２３の外側からの影響に対して保護されるように配置される。
【００３１】
図４は、図２によるコネクタ要素１の概略断面図であるが、図２と対照的に、コンタクトモジュール３が端部キャッチ位置Ｂ内に移動している。この位置で、キャッチ要素２８およびカウンタ・キャッチ要素３８は互いの内側で係合し、モジュールシャフト２３から導入方向Ｅの反対方向へと引き出されないようにコンタクトモジュール３を固定する。
【００３２】
図５は、図４からの詳細ＸＩＩを示す。ここでは、キャッチ部分２８が、導入方向において保持面３８ｂの上流の端部キャッチ位置Ｂ内に配置されている、または保持面３８ｂと当接しているのを見ることができる。換言すれば、キャッチ要素２８およびカウンタ・キャッチ要素３８は、導入方向Ｅにおける突出部として互いに重なり合う。コンタクトモジュール３は結果として、ハウジング２と係合する。ハウジング２に形成されるアクセス開口部２９は、モジュールシャフト２３の後端部２７を貫通する通路を形成する。アクセス開口部２９を介して、ロック解除器具をキャッチ要素２８と接触させてこれを横断方向Ｙの反対方向に移動させ、結果としてこれをカウンタ・キャッチ要素３８から解除することができる。これにより、モジュールシャフト２３からコンタクトモジュール３を導入方向Ｅの反対方向に取り外すことができる。
【００３３】
図６は、本発明によるコネクタ要素１’の別の実施形態の概略分解図である。コネクタ要素１と対照的に、コネクタ要素１’は、キャッチ要素２８’を有するハウジング２’と、カウンタ・キャッチ要素３８’を有するコンタクトモジュール３’とを有する。
【００３４】
図７は、コンタクトモジュール３’の概略斜視図であり、カウンタ・キャッチ要素３８’を特に見ることができる。カウンタ・キャッチ要素３８’は、弾性部分３８ｂ’から遠ざかるように実質的に挿入方向Ｓにまたは垂直方向Ｚの反対方向に延在する、キャッチ突出部３８ａ’を有する。そして、この弾性部分３８ｂ’は、導入方向Ｅまたは長手方向Ｘと実質的に平行に延在する。弾性部分３８ｂ’は、カウンタ・キャッチ要素３８’の根部３８ｃ’によって端面３６ｃに装着される。結果として、カウンタ・キャッチ要素３８’は、コンタクトモジュール３’のポケット３９内にあり、また、挿入方向Ｓにおいておよび導入方向Ｅにおいての両方で見た場合にコンタクト要素３’の外郭の内側で保護されるように配置される。
【００３５】
図８は、コネクタ要素１’の係合領域の概略断面斜視図であり、コンタクトモジュール３’がハウジング２’のモジュールシャフト２３内に組立前の位置Ａまで導入されている。組立前の位置Ａにおいて、コネクタ要素１’におけるカウンタ・キャッチ要素３８’のキャッチ突出部３８ａ’は、導入方向Ｅにおいてキャッチ要素２８’の勾配を有する傾斜部材２８ａ’の上流に配設されるか、またはこれに当接する。
【００３６】
図９は、図８と同様の図でコネクタ要素１’を示すが、図８と対照的に、コンタクトモジュール３’が端部キャッチ位置Ｂまで導入方向Ｅに移動している。端部キャッチ位置Ｂにおいて、カウンタ・キャッチ要素３８’のキャッチ突出部３８ａ’は、キャッチ要素２８’の勾配を有する傾斜部材２８ａ’に沿って摺動する。キャッチ突出部３８ａ’はこの時点で、導入方向Ｅにおいてキャッチ要素２８’の保持面２８ｂ’の下流に配置されるか、または保持面２８ｂ’と当接している。保持面２８ｂ’は、導入方向Ｅに向けられる。結果として、コンタクトモジュール３’は、モジュール受容部材２３から導入方向Ｅの反対方向へと引き出されないように固定される。コンタクトモジュール３’の係合を解除するために、アクセス開口部２９を通してモジュールシャフト２３内に対応する器具を導入して、キャッチ突出部３８ａ’をその場所で挿入方向Ｓの反対方向へとキャッチ要素２８’またはその保持面２８ｂ’の上方に持ち上げることができ、続いて、コンタクトモジュール３’をモジュール受容部材２３から導入方向Ｅの反対方向に引くことを可能にする。
【００３７】
図１０は、長手方向Ｘおよび垂直方向Ｚと実質的に平行に延びる切断面における、本発明によるコネクタ要素１’’の別の実施形態の概略断面図である。コネクタ要素１および１’と対照的に、コネクタ要素１’’はハウジング２’’を有し、その内部空間２１において、コンタクトモジュール３’’に関する係合部が、垂直方向Ｚにおいてモジュールシャフト２３の上方に配置される。
【００３８】
図１１は図１０からの詳細ＸＩＩＩを示し、ここでは係合部を特に見ることができる。たとえば、キャッチ要素２８’’は、キャッチ部分２８ａ’’および弾性部分２８ｂ’’を有する。弾性部分２８ｂ’’は、根部２８ｃ’’によってハウジング２’’の壁部２０の勾配を有する上部カバー部分に接続されるとともに、長手方向Ｘおよび垂直方向Ｚの反対方向にかつ横断方向Ｙに対して横断的に、実質的に勾配を有して延在する。キャッチ要素２８’’上の頂部に形成されたキャッチ要素の作動部材２８ｄ’’がハウジング２’’の壁部２０の開口部２９’を通ってハウジングから上向きに突出し、またこの作動部材２８ｄ’’は、導入方向Ｅの反対方向に開口する凹部の形態の器具受容部材２８ｅ’’を有する。カウンタ・キャッチ要素３８’’は、肩部３８ａ’’および保持面３８ｂ’’を形成する。この肩部は、実質的に横断方向Ｙに延在し、かつ導入方向Ｅの実質的に反対方向に向けられた保持面３８ｂ’’から長手方向Ｘに突出する。
【００３９】
図１０および図１１において示す端部キャッチ位置Ｂにおいて、コンタクトモジュール３’’は、モジュール受容部材２３の中に導入方向Ｅに奥まで導入され、カウンタ・キャッチ要素３８’’がキャッチ要素２８’’を完全に通過している。キャッチ要素２８’’のキャッチ部分２８ａ’’はこの時点で、導入方向Ｅにおいて保持面３８ｂ’’の上流に配設され、これと重なって、その結果、モジュール受容部材２３から導入方向Ｅの反対方向へと引き出されないようにコンタクトモジュール２３を固定する。
【００４０】
図１２は、コネクタ要素２’’の図１１で示された詳細を僅かに異なる視点から示す。ここでは、キャッチ要素２８’’の作動部材２８ｄ’’がハウジング２’’の壁部２０のアクセス開口部２９’’を通って突出することが明らかである。このことにより、器具を器具受容部材２８ｅ’’内へと導入方向Ｅの反対方向に導入することができ、また、キャッチ部分２８ｅ’’を肩部３８ａ’’から挿入方向Ｓの反対方向にかつ保持面３８’’の上方に持ち上げることができ、このことにより係合を解除することができる。
【００４１】
図１３は、コンタクトモジュール３’’が端部キャッチ位置Ｂにあるコネクタ要素２’’を示し、開口部２９’’内の作動部材２８ｄ’’の配置を見ることができる。ここでは、キャッチ要素２８’’がハウジング２’’の最大限内側に、またはその内部空間２１内に配置されることが明らかである。特に、キャッチ要素２８’’のキャッチ部分２８ａ’’は、有害な影響から保護するためにハウジングの内側に配置される。
【００４２】
本発明の観念の文脈では、上記の実施形態の修正が可能である。本発明によるコネクタ要素１、１’、１’’はしたがって、ハウジング２、２’、２’’、ならびに保持部分３ａおよびコネクタ部分３ｂを有するコンタクトモジュール３、３’、３’’を、任意の数だけ有することができる。コネクタ部分３ｂは、コネクタ要素１、１’、１’’にコンタクト要素（図示せず）を設け、これを相手側コネクタ要素（図示せず）に接合するように、それぞれの要件に応じて構築することができる。
【００４３】
ハウジング２、２’、２’’は、内部空間２１を形成する壁部２０を有するように、それぞれの要件に応じて構築することができる。内部空間２１は、それぞれの要件に応じて形成され、また内壁２０ａ、２０ｂによって区切られ、導入開口部２２においてアクセス可能なモジュールシャフト２３を形成する。モジュールシャフト２３はそれぞれの要件に応じて形成することができ、また、モジュールシャフト２３には案内要素２４ａ、２４ｂを、および挿入開口部２５を設けることができる。さらに、それぞれの要件に応じて、ロック手段２６をハウジング２、２’、２’’に装着することができる。キャッチ要素２８、２８’、２８’’はそれぞれの要件に応じて構築でき、またハウジングの後端部２７に好ましくは配置することができる。キャッチ要素２８、２８’、２８’’は好ましくは、内部空間２１内に配置され、かつアクセス開口部２９、２９’、２９’’を介してアクセス可能である。本発明によるキャッチ要素２８、２８’、２８’’には、それぞれの要件に応じて、キャッチ部分２８ａ、２８ａ’’、弾性部分２８ｂ、２８ｂ’’、根部２８ｃ、２８ｃ’’、勾配を有する傾斜部材２８ａ、保持面２８ｂ’、作動部材２８ｄ’’、および器具受容部材２８ｅ’’を設けることができる。
【００４４】
本発明によるコンタクトモジュール３、３’、３’’には、それぞれの要件に応じて、コンタクト固定部材３２を有することのできるコンタクト受容部材３１の列３０ａ、３０ｂを設けることができる。ガイド３４ａ、３４ｂは、案内要素２４ａ、２４ｂを補完してコンタクトモジュール３、３’、３’’を導入方向Ｅと実質的に平行に挿入できるように、およびコンタクトモジュール３、３’、３’’をモジュールシャフト２３内に安定して保持できるように、それぞれの要件に応じて構築することができる。後端部３５、内部側壁３６ａ、３６ｂ、カウンタ・キャッチ要素３８、３８’、３８’’、および端面３６ｃを、それぞれの要件に応じて構築し、ポケット３９内に配置することができる。コンタクトモジュール３、３’、３’’をハウジング２、２’、２’’上に係合するために、本発明によるカウンタ・キャッチ要素３８、３８’、３８’’は、それぞれの要件に応じて、勾配を有する傾斜部材３８ａ、保持面３８ｂ、キャッチ突出部３８ａ’、弾性部分３８ｂ’、根部３８ｃ’、肩部３８ａ’’、および保持面３８ｂ’’を有するように構築することができる。
【００４５】
本発明によるコンタクトモジュール３、３’、３’’は、好ましくは組立前の位置Ａを経由して端部キャッチ位置Ｂ内に移動することができる。端部キャッチ位置Ｂにおいて、コンタクトモジュール３、３’、３’’は、モジュール受容部材２３から導入方向Ｅの反対方向へと引き出されないように固定される。導入方向Ｅおよび挿入方向Ｓは、必ずしもここに示すように互いに対して直角に延びる必要はなく、互いに対してそれぞれの要件に応じて配向されてもよい。このことは、長手方向Ｘ，横断方向Ｙ、および垂直方向Ｚに対する、導入方向Ｅおよび挿入方向Ｓの配向にも当てはまる。
【符号の説明】
【００４６】
１、１’、１’’  コネクタ要素
２、２’、２’’  ハウジング
３、３’、３’’  コンタクトモジュール
３ａ  保持部分
３ｂ  コネクタ部分
２０  壁部
２０ａ、２０ｂ  内壁
２１  ハウジングの内部空間
２２  導入開口部
２３  モジュールシャフト
２４ａ、２４ｂ  案内要素
２５  挿入開口部
２６  ロック手段
２７  後端部
２８、２８’、２８’’  キャッチ要素
２８ａ、２８ａ’’  キャッチ部分
２８ａ’  勾配を有する傾斜部材
２８ｂ、２８ｂ’’  弾性部分
２８ｂ’  保持面
２８ｃ、２８ｃ’’  根部／移行部分
２８ｄ’’  作動部材
２８ｅ’’  器具受容部材
２９、２９’、２９’’  アクセス開口部
３０ａ、３０ｂ  コンタクト受容部材の列
３１  コンタクト受容部材
３２  コンタクト固定部材
３４ａ、３４ｂ  ガイド
３５  後端部
３６ａ、３６ｂ  内部側壁
３６ｃ  端面
３８、３８’、３８’’  カウンタ・キャッチ要素
３８ａ  勾配を有する傾斜部材
３８ａ’  キャッチ突出部
３８ａ’’  肩部
３８ｂ  保持面
３８ｂ’  弾性部分
３８ｂ’’  保持面
３８ｃ  根部／移行部分
３９  ポケット
Ａ  組立前の位置
Ｂ  端部キャッチ位置
Ｅ  導入方向
Ｓ  挿入方向
Ｘ  長手方向
Ｙ  横断方向
Ｚ  垂直方向
【図１】
2015535136.tif 000003
【図２】
2015535136.tif 000004
【図３】
2015535136.tif 000005
【図４】
2015535136.tif 000006
【図５】
2015535136.tif 000007
【図６】
2015535136.tif 000008
【図７】
2015535136.tif 000009
【図８】
2015535136.tif 000010
【図９】
2015535136.tif 000011
【図１０】
2015535136.tif 000012
【図１１】
2015535136.tif 000013
【図１２】
2015535136.tif 000014
【図１３】
2015535136.tif 000015
【国際調査報告】
2015535136.tif 000016
2015535136.tif 000017
2015535136.tif 000018